(57)【要約】      （修正有）【課題】透明なビーズを用いたビーズアクセサリーにおいて、ビーズの外面から装飾を設けながらも、透明な部分を隠す印象を与えず、さらに、装飾の脱落を防ぐビーズアクセサリーを提供する。【解決手段】透明な素材からなり、貫通孔１１が設けられた１以上のビーズ１０と、前記ビーズ１０外面の前記貫通孔１１が設けられた部分周りに係合する内面を有し、前記ビーズ１０に係合した状態で前記貫通孔１１に重なる貫通孔を有する押さえ部材２０と、前記押さえ部材２０の内面に配されるシート体であって、前記ビーズ側の面に色彩、模様、光沢又はこれらの組み合わせからなる装飾が施され、前記押さえ部材２０に配された状態で前記押さえ部材２０の貫通孔に重なる貫通孔を有するビーズ側装飾片３０と、前記ビーズ１０と押さえ部材２０とビーズ側装飾片３０とを重ねた状態で前記貫通孔を貫く紐体４０とにより構成する。【選択図】図１
0003176198.tif 000002
【実用新案登録請求の範囲】
【請求項１】
透明な素材からなり、貫通孔が設けられた１以上のビーズと、
前記ビーズ外面の前記貫通孔が設けられた部分周りに係合する内面を有し、前記ビーズに係合した状態で前記貫通孔に重なる貫通孔を有する押さえ部材と、
前記押さえ部材の内面に配されるシート体からなり、前記ビーズ側の面に色彩、模様、光沢又はこれらの組み合わせからなる装飾が施され、前記押さえ部材に配された状態で前記押さえ部材の貫通孔に重なる貫通孔を有するビーズ側装飾片と、
前記ビーズと押さえ部材とビーズ側装飾片とを重ねた状態でそれぞれの前記貫通孔を貫く紐体と
を有するビーズアクセサリー。
【請求項２】
前記押さえ部材には前記貫通孔以外の貫通孔である装飾孔が１以上設けられ、
前記押さえ部材の内面に配されるシート体からなり、前記押さえ部材内面側の面に色彩、模様、光沢又はこれらの組み合わせからなる装飾が施され、前記押さえ部材に配された状態で前記押さえ部材の貫通孔に重なる貫通孔を有する外側装飾片が設けられる請求項１に記載のビーズアクセサリー。
【請求項３】
前記ビーズ側装飾片を有することに代えて、
前記ビーズの貫通孔が設けられた部分周りの外面又は前記押さえ部材の内面に色彩、模様、光沢又はこれらの組み合わせからなる装飾が施された請求項１に記載のビーズアクセサリー。
【考案の詳細な説明】
【技術分野】
【０００１】
本考案はビーズを紐体で連結することで形成されるアクセサリーに関し、特に、ビーズが透明なものに関する。
【背景技術】
【０００２】
ブレスレット、ネックレス、ストラップなどにビーズを紐体で連結したビーズアクセサリーが用いられている。ビーズアクセサリーに用いられるビーズには種々のものがあるが、透明なビーズは見た目にも美しく広く利用される。
このような透明なビーズは多くの場合単色であるため、色の変化をつけるためには外表面に色を塗ったり、合成樹脂の場合は成形時に内部に色のある装飾物を入れたりすることが一般的である。
【考案の概要】
【考案が解決しようとする課題】
【０００３】
しかし、ビーズの外面に色を塗ると透明な部分に不透明な部分が表れてしまうこととなり、また、色部分が剥げてしまう恐れもある。合成樹脂の内部に色のある装飾物を入れるとこのような問題は生じないが、天然石のビーズでは適用することができない。
本考案は、このような問題に鑑みて、透明なビーズを用いたビーズアクセサリーにおいて、ビーズの外面から色彩などの装飾を設けながらも、外観的に透明な部分を隠しているという印象を与えることなく、さらに、装飾が脱落したりすることのないようにすることを課題とする。
【課題を解決するための手段】
【０００４】
上記課題を解決するために、本考案は次のような構成を有する。
請求項１に記載の考案は、透明な素材からなり、貫通孔が設けられた１以上のビーズと、  前記ビーズ外面の前記貫通孔が設けられた部分周りに係合する内面を有し、前記ビーズに係合した状態で前記貫通孔に重なる貫通孔を有する押さえ部材と、前記押さえ部材の内面に配されるシート体であって、前記ビーズ側の面に色彩、模様、光沢又はこれらの組み合わせからなる装飾が施され、前記押さえ部材に配された状態で前記押さえ部材の貫通孔に重なる貫通孔を有するビーズ側装飾片と、前記ビーズと押さえ部材とビーズ側装飾片とを重ねた状態でそれぞれの前記貫通孔を貫く紐体とを有するビーズアクセサリーである。
請求項２に記載の考案は、前記ビーズアクセサリーにおいて、前記押さえ部材には前記貫通孔以外の貫通孔である装飾孔が１以上設けられ、前記押さえ部材の内面に配されるシート体からなり、前記押さえ部材内面側の面に色彩、模様、光沢又はこれらの組み合わせからなる装飾が施され、押さえ部材に配された状態で前記押さえ部材の貫通孔に重なる貫通孔を有する外側装飾片とが設けられるものである。なお、外側装飾片は、ビーズ側装飾片の押さえ部材内面側の面に装飾を施すことで、ビーズ側装飾片と一体に形成される場合が含まれる。
請求項３に記載の考案は、請求項１に記載のビーズアクセサリーにおいて、前記ビーズ側装飾片を有することに代えて、前記ビーズの貫通孔が設けられた部分周りの外面又は前記押さえ部材の内面に色彩、模様、光沢又はこれらの組み合わせからなる装飾が施されたものである。
【考案の効果】
【０００５】
請求項１に記載の考案は、透明なビーズ外面の紐体を通す貫通孔の近傍に装飾が施されたビーズ側装飾片が設けられ、押さえ部材により隠されるので、装飾が施されたシート側装飾片の装飾部分は外観的に直接見えず、透明なビーズを通してのみ見ることができるので、透明な表面を不透明なもので隠しているという印象を与えることがなく、さらに、ビーズ側装飾片は押さえ部材により保護されるので脱落することはほとんどない。
請求項２に記載の考案は、押さえ部材に設けられた装飾孔から外側装飾片の装飾が見えることとなり、押さえ部材の外見も美しく装飾することができる。
請求項３に記載の考案は、ビーズ側装飾片に代えて、前記ビーズの貫通孔が設けられた部分周りの外面や前記押さえ部材の内面に装飾を施すことによっても、ビーズの透明な表面を不透明なもので隠しているという印象を与えることがなく、また、装飾が剥げ落ちる心配もほとんどない。
【図面の簡単な説明】
【０００６】
【図１】実施形態に係るアクセサリービーズの部分分解斜視図である。
【図２】実施形態に係るアクセサリービーズの部分拡大側面図である。
【考案を実施するための形態】
【０００７】
以下、本考案の実施の形態について、図面を参照しながら説明する。
図１に本実施形態に係るアクセサリービーズＸに一つのビーズ部分に関する分解斜視図を示す。アクセサリービーズXはビーズ１０、押さえ部材２０、装飾片３０、紐体４０を有する。
ビーズ１０は貫通孔１１が設けられた透明な球体により構成される。押さえ部材２０はビーズ１０の外面に嵌る内面を有する杯型の形状を有し、複数の装飾孔２１が設けられ、中央に貫通孔２２が設けられる。装飾片３０は、押さえ部材２０の外径とほぼ同じかやや小さいシート体であり、ここではスパンコール用の小片が用いられる。この小片の裏表に模様が描かれることで、光沢のある模様からなる装飾３１が形成される。装飾片３０は、表面裏面ともに装飾が施されることで、ビーズ１０に接触する側はビーズ側装飾片を構成するとともに、押さえ部材２０に接触する側は外側装飾片を構成する。また、装飾片３０の中央には貫通孔３２が設けられる。紐体４０は貫通孔１１、２２、３２を通る金属ワイヤーであり一般的なビーズアクセサリー用のものが用いられる。アクセサリービーズＸは複数のビーズ１０、押さえ部材２０、装飾片３０を紐体４０に通し、これらがずれないように紐体４０の両端を連結したものである。
【０００８】
以上のような構成を有するビーズアクセサリーＸは、図２に示すように正面近傍の視線Ｂから見ると、ビーズ１０の押さえ部材２０で隠れていない部分から装飾片３０は見えない。一方、斜め方向の視線Ａから見るとビーズ１０の押さえ部材で隠れていない部分から、ビーズ１０を通して装飾片３０を見ることができ、光の屈折によりビーズ１０に装飾が施されたように見える。即ち、見る角度によってビーズ１０は見え方が変わり、透明なビーズ１０に色などの変化を付与することができる。また、押さえ部２０の装飾孔２１からは装飾片３０の押さえ部側の面が見えるが、装飾片３０の外形は見えないので、あたかも押さえ部２０自体に装飾が施されているかのように見せることができる。
このように本実施形態に係るビーズアクセサリーＸは、透明なビーズの透明な表面を不透明なもので隠しているという印象を与えることなく、色味などの装飾を施すことができ、さらに、見る角度による変化も付与することができる。
【０００９】
なお、上記実施形態では、ビーズとして球形のビーズを示したが、形状は特に限定されるものではなく長球状や多面体形状のもの、表面に凹凸を形成したものなどを用いてもよい。
また、上記実施形態では、装飾を施した装飾片をビーズと押さえ部の間に挟むように構成しているが、装飾片を挟む代わりに、ビーズの貫通孔回りの外面や、押さえ部材のビーズ側の内面に直接塗料などで装飾を施してもよい。
さらに、ビーズアクセサリーを構成するすべてのビーズに装飾片や押さえ部材を設ける必要はなく、一部のみに装飾片や押さえ部材を設けるようにしてもよい。
そして、装飾片に施される装飾はビーズに変化を与えるものであればよいので、単色のみでもよく、一色の模様のみなどでもよい。また、押さえ部材の形状も適宜変更してよいことはいうまでもない。
【符号の説明】
【００１０】
Ｘ  ビーズアクセサリー
１０  ビーズ
１１  貫通孔
２０  押さえ部材
２１  装飾孔
２２  貫通孔
３０  装飾片
３１  装飾
３２  貫通孔
４０  紐体
【図１】
0003176198.tif 000003
【図２】
0003176198.tif 000004